【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
ＥＣＧ信号を表示する医療ディスプレイシステムであって、
少なくとも１つのプロセッサを有し、前記プロセッサが、
時間期間に広がる患者のＥＣＧ信号を前記患者に配置される電極から受信し、
１時間を超える前記時間期間にわたり前記ＥＣＧ信号の信号品質を決定し、
前記ＥＣＧ信号の診断特徴を特定するため、前記ＥＣＧ信号が不十分な精度で表示されるよう、１分あたり１０００ピクセルより小さい時間スケールを用いて前記時間期間にわたり取得されるＥＣＧ信号を表示し、及び
前記表示されたＥＣＧ信号に隣接して時間にわたる前記決定された信号品質を表示するようプログラムされる、医療ディスプレイシステム。
【請求項２】
前記少なくとも１つのプロセッサが更に、
前記時間期間にわたり前記ＥＣＧ信号のノイズ及びアーチファクトレベルを推定し、
前記時間期間にわたり、前記推定されたノイズ、及びアーチファクトレベルを合計することにより、前記時間期間にわたり前記ＥＣＧ信号の信号品質を決定するようプログラムされる、請求項１に記載の医療ディスプレイシステム。
【請求項３】
前記少なくとも１つのプロセッサが更に、
前記時間期間に広がる前記患者の他の生理的信号を受信し、前記ＥＣＧ信号及び前記他の生理的信号が、共通の生理的状態を診断するための特徴を表し、
前記時間期間にわたり前記ＥＣＧ信号及び前記他の生理的信号のノイズ及びアーチファクトレベルを推定し、
前記時間期間にわたり前記推定されたノイズ及びアーチファクトレベルを合計することにより、前記期間にわたり前記ＥＣＧ信号の信号品質を決定するようプログラムされる、請求項１に記載の医療ディスプレイシステム。
【請求項４】
前記少なくとも１つのプロセッサが更に、前記決定された信号品質を表すカラーバー又はライングラフを表示するようプログラムされ、
同様な色又はライングラフ振幅が、同様な信号品質又は同様なクラスの信号品質を表し、前記バーの長さは、時間に対応する、請求項１に記載の医療ディスプレイシステム。
【請求項５】
前記少なくとも１つのプロセッサが更に、前記カラーバーにオーバレイされるシンボルのシーケンスを表示するようプログラムされ、前記シンボルのシーケンスが、前記ＥＣＧ信号の特徴を表す、請求項４に記載の医療ディスプレイシステム。
【請求項６】
前記少なくとも１つのプロセッサが更に、前記表示されたＥＣＧ信号の選択されたサブセットに関して、時間にわたり前記決定された信号品質を表示するようプログラムされる、請求項１に記載の医療ディスプレイシステム。
【請求項７】
前記少なくとも１つのプロセッサが更に、独立軸が時間に対応し、従属軸が信号強度に対応する前記ＥＣＧ信号のグラフを表示し、及び
前記時間期間の間に広がる複数の時間点に関して、前記決定された信号品質を並行して表示するようプログラムされる、請求項１に記載の医療ディスプレイシステム。
【請求項８】
ＥＣＧ信号を表示する医療表示方法において、
患者のＥＣＧ信号を前記患者に配置される電極から受信するステップであって、前記ＥＣＧ信号が、時間期間に広がる、ステップと、
１時間を超える前記時間期間にわたり前記ＥＣＧ信号の信号品質を決定するステップと、
前記ＥＣＧ信号の診断特徴を特定するため、前記ＥＣＧ信号が不十分な精度で表示されるよう、１分あたり１０００ピクセルより小さい時間スケールを使用して、前記時間期間にわたり取得されるＥＣＧ信号を表示するステップと、
前記表示されたＥＣＧ信号に隣接して時間にわたる前記決定された信号品質を表示するステップとを有する、方法。
【請求項９】
前記期間にわたり前記ＥＣＧ信号のノイズ及びアーチファクトレベルを推定するステップと、
前記期間にわたり前記推定されたノイズ及びアーチファクトレベルを合計することにより、前記期間にわたり前記ＥＣＧ信号の信号品質を決定するステップとを更に含む、請求項８に記載の医療表示方法。
【請求項１０】
前記決定された信号品質を表すカラーバーを表示するステップを更に含み、同様な色が、同様な信号品質又は同様なクラスの信号品質を表し、前記バーの長さは、時間に対応する、請求項８に記載の医療表示方法。
【請求項１１】
前記ＥＣＧ信号のグラフを表示するステップであって、独立軸が、時間に対応し、従属軸が、信号強度に対応する、ステップと、
ノイズ及びアーチファクトが診断的に有意な信号特徴をマスクする、前記ＥＣＧ信号の表示されたグラフの部分をユーザに通知するため、前記時間期間の間に広がる複数の時間点に関して前記決定された信号品質を並行して表示するステップとを更に含む、請求項８に記載の医療表示方法。
【請求項１２】
請求項８乃至１１のいずれか一項に記載の方法を実行するよう構成される少なくとも１つのプロセッサ。
【請求項１３】
請求項８乃至１１のいずれか一項に記載の方法を実行するよう１つ又は複数のプロセッサを制御するソフトウェアを搬送する非一時的コンピュータ可読媒体。
【請求項１４】
生理的信号を表示する医療ディスプレイシステムであって、
患者に配置され、前記患者の生理的信号を時間にわたり得る少なくとも１つの電極と、
１時間を超える前記時間期間にわたり前記生理的信号の信号品質を決定する少なくとも１つのプロセッサと、
ディスプレイとを有し、
前記生理的信号の診断特徴を特定するため、かつ前記時間期間にわたる前記生理的信号の信号品質を決定するため、前記生理的信号が不十分な精度で表示されるよう、前記時間期間にわたり取得されるＥＣＧ信号が、１分あたり１０００ピクセルより小さい時間スケールを用いて表示され、
前記時間にわたる決定された信号品質を示すインジケータが、前記生理的信号に隣接して、及び時間的に整列されて表示される、医療ディスプレイシステム。
【請求項１５】
前記少なくとも１つのプロセッサが更に、
前記時間期間にわたり前記生理的信号のノイズ及びアーチファクトレベルを推定し、
前記時間期間にわたり、前記推定されたノイズ、及びアーチファクトレベルを合計することにより、前記時間期間にわたり前記生理的信号の信号品質を決定するようプログラムされる、請求項１４に記載の医療ディスプレイシステム。
【請求項１６】
前記少なくとも１つのプロセッサが更に、
前記時間期間に広がる前記患者の第２の生理的信号を受信し、前記生理的信号及び前記第２の生理的信号が、共通の生理的状態を診断するための特徴を表し、
前記時間期間にわたり前記生理的信号及び前記第２の生理的信号のノイズ及びアーチファクトレベルを推定し、
前記時間期間にわたり前記推定されたノイズ及びアーチファクトレベルを合計することにより、前記時間期間にわたり前記生理的信号の信号品質を決定するようプログラムされる、請求項１４に記載の医療ディスプレイシステム。
【請求項１７】
前記表示されるインジケータが、前記決定された信号品質を表すカラーバー又はライングラフを含み、
同様な色又はライングラフ振幅が、同様な信号品質又は同様なクラスの信号品質を表し、前記バーの長さは、時間に対応する、請求項１４に記載の医療ディスプレイシステム。
【請求項１８】
前記ディスプレイが更に、前記カラーバーにオーバレイされるシンボルのシーケンスを表示し、前記シンボルのシーケンスが、前記生理的信号の特徴を表す、請求項１７に記載の医療ディスプレイシステム。
【請求項１９】
前記ディスプレイが更に、前記表示された生理的信号の選択されたサブセットに関して、時間にわたり前記決定された信号品質を表示する、請求項１４に記載の医療ディスプレイシステム。
【請求項２０】
前記ディスプレイが更に、独立軸が時間に対応し、従属軸が信号強度に対応する前記生理的信号のグラフを表示し、及び
前記時間期間の間に広がる複数の時間点に関して、前記決定された信号品質を並行して表示する、請求項１に記載の医療ディスプレイシステム。